(57)【要約】      （修正有）【課題】除電効率を向上させることができる除電装置及び除電方法を提供する。【解決手段】除電装置は、正極性の電圧が印加される正電極部１０と、負極性の電圧が印加される負電極部２０と、対象物に向けて空気を吹き出す吹出口５３とを備える。空気のイオンを風のみで拡散するのではなく、対象物と交差するように形成した電気力線に依存するように移動させつつ、電気力線が形成されている空間に向かって吹出口から吹き出される空気の流れによってイオンを移動させるので、空気のイオンが途中で中和されることを抑制して、空気のイオンをより確実に対象物まで運ぶことができる。【選択図】図１
2019164910.tif 000002
【特許請求の範囲】
【請求項１】
電場中の電荷に働く電気力を利用して対象物を除電する除電装置であって、
正極性の電圧が印加される正電極と、
負極性の電圧が印加される負電極と、
前記対象物に向けて空気を吹き出す吹出口と
を備える除電装置。
【請求項２】
一方の端部が閉塞し、他方の端部が開口し、内部に空気の流路が設けられた絶縁性を有する本体部と、
前記本体部に設けられ、絶縁性を有し、前記正電極が固定された正電極部と、
前記正電極部から適長離隔して前記本体部に設けられ、絶縁性を有し、前記負電極が固定された負電極部と
を備え、
前記本体部の前記正電極部と前記負電極部との間に前記吹出口を複数並べて設けている請求項１に記載の除電装置。
【請求項３】
一方の端部が閉塞し、他方の端部が開口し、内部に空気の流路が設けられた絶縁性を有する本体部と、
適長離隔して前記本体部に設けられ、絶縁性を有し、前記正電極又は前記負電極の一方の極性の第１電極が固定された複数の第１電極部と、
前記本体部と対向配置され、絶縁性を有する対向本体部と、
適長離隔して前記対向本体部に設けられ、絶縁性を有し、前記正電極又は前記負電極の他方の極性の第２電極が固定された複数の第２電極部と
を備え、
前記本体部の複数の前記第１電極部の間に前記吹出口を複数並べて設けている請求項２に記載の除電装置。
【請求項４】
前記吹出口は、前記対向本体部に向けて空気を吹き出す請求項３に記載の除電装置。
【請求項５】
前記開口から前記流路に向けて圧縮空気を流入させるようにしてある請求項３または請求項４に記載の除電装置。
【請求項６】
前記本体部の、前記吹出口が設けられた箇所の流路径は、前記正電極部、前記負電極部又は前記第１電極部が設けられた箇所の流路径よりも大きい請求項３から請求項５のいずれか一項に記載の除電装置。
【請求項７】
前記吹出口の穴径は、前記他方の端部から前記一方の端部に向かって大きくなる請求項２から請求項６のいずれか一項に記載の除電装置。
【請求項８】
電場中の電荷に働く電気力を利用して対象物を除電する除電方法であって、
正電極に正極性の電圧を印加し、
負電極に負極性の電圧を印加し、
前記対象物に向けて吹出口から空気を吹き出す除電方法。
【発明の詳細な説明】
【技術分野】
【０００１】
本発明は、除電装置及び除電方法に関する。
【背景技術】
【０００２】
空気中の塵や埃などの浮遊粒子は、ほとんどがプラス又はマイナスのいずれかの静電気を帯びている。このため、プラスチック等の合成樹脂製の成型品などが帯電していると、塵や埃などが成型品に引き付けられて付着する。成型品に対して、塗装、蒸着などの後処理を行う場合、塵や埃などが成型品に付着していると外観不良となる。
【０００３】
特許文献１には、空気中の静電気制御や帯電体の除電を行うためのコロナ放電式のイオン化装置（イオナイザー）が開示されている。イオナイザーは、放電電極に高電圧を印加してコロナ放電を発生させて空気のイオンを発生させる。そして発生させたイオンを風によって帯電体に送ることにより除電を行う。
【先行技術文献】
【特許文献】
【０００４】
【特許文献１】特開２００２−２１６９９６号公報
【発明の概要】
【発明が解決しようとする課題】
【０００５】
イオナイザーは、いかに多くのイオンを発生させるという点に着目しているので、放電電極の近傍に接地電極を設けることにより、電界強度を高くしている。このため、イオンが大量に発生すると、コロナ放電はスパーク放電へ移行しオゾンが大量に発生するだけでなく、放電電極の酸化被膜が剥離して発塵の原因となる。また、イオンを風によって送るため、イオンが拡散し、帯電体に届く前に中和されて消滅し、除電効果が低下する。
【０００６】
本発明は斯かる事情に鑑みてなされたものであり、除電効率を向上させることができる除電装置及び除電方法を提供することを目的とする。
【課題を解決するための手段】
【０００７】
本発明に係る除電装置は、電場中の電荷に働く電気力を利用して対象物を除電する除電装置であって、正極性の電圧が印加される正電極と、負極性の電圧が印加される負電極と、前記対象物に向けて空気を吹き出す吹出口とを備える。
【０００８】
本発明に係る除電方法は、電場中の電荷に働く電気力を利用して対象物を除電する除電方法であって、正電極に正極性の電圧を印加し、負電極に負極性の電圧を印加し、前記対象物に向けて吹出口から空気を吹き出す。
【発明の効果】
【０００９】
本発明によれば、除電効率を向上させることができる。
【図面の簡単な説明】
【００１０】
【図１】本実施の形態の除電装置の構成の第１実施例を示す説明図である。
【図２】本実施の形態の正電極部の要部構成の一例を示す説明図である。
【図３】本実施の形態の除電装置による除電方法の一例を示す模式図である。
【図４】本実施の形態の除電装置による除電性能の結果を示す説明図である。
【図５】本実施の形態の除電装置の要部構成の第２実施例を示す説明図である。
【図６】本実施の形態の除電装置の要部構成の第３実施例を示す説明図である。
【図７】本実施の形態の除電装置の第３実施例の設置例を示す模式図である。
【発明を実施するための形態】
【００１１】
以下、本発明をその実施の形態を示す図面に基づいて説明する。図１は本実施の形態の除電装置の構成の第１実施例を示す説明図である。本実施の形態の除電装置は、除電器３３、本体５０、本体５０の両側に固定されるエンドキャップ５１、５２、本体５０に適長離隔して設けられた正電極部１０及び負電極部２０、並びに正側電線３４及び負側電線３５などを備える。本体５０、エンドキャップ５１、５２は、絶縁性を有し、合成樹脂（例えば、ポリ塩化ビニル：ＰＶＣなど）製である。本体５０、エンドキャップ５１、５２は、本体部を構成する。本体５０、エンドキャップ５２は、内部に空気の流路が形成されてあり、両端が開口した円筒形をなす。エンドキャップ５１は、一端が開口し、他端が閉塞した円筒形をなす。
【００１２】
正電極部１０と負電極部２０との離隔距離（図１の符号Ｌ）は、正電極部１０及び負電極部２０で発生する電圧に応じて、適宜設定することができる。離隔距離Ｌは、例えば、３００ｍｍ〜５００ｍｍとすることができるが、これらの数値に限定されない。
【００１３】
本体５０の正電極部１０と負電極部２０との間には、複数の吹出口５３を設けている。吹出口５３は、対象物に向けて空気を吹き出す。なお、図１の例では、便宜上６個の吹出口５３を図示しているが、吹出口５３の数は図１の例に限定されない。また、便宜上、吹出口５３を拡大して図示しているが、実際には吹出口５３の大きさは図示したものより小さい。複数の吹出口５３は、本体５０の長さ方向と平行な直線状に一列に並んで配置されていてもよく、あるいは本体５０の長さ方向と平行であって離隔した二つの直線上に交互に並んで配置するようにしてもよい。
【００１４】
本体５０の一端は、エンドキャップ５２の一方の開口に内挿される。本体５０の他端は、エンドキャップ５１の一端の開口に内挿される。エンドキャップ５２の他方の開口には、空気の流量を調整するレギュレータ４１が固定されている。レギュレータ４１には、チューブ４３が取り付けられた継手４２が着脱可能に取り付けられる。圧縮空気源（不図示）からの圧縮空気は、エンドキャップ５２の一方の開口、本体５０の流路を通じて、複数の吹出口から吹き出される。
【００１５】
交流電源３０のＡＣ１００Ｖは、電源アダプタ３１によって、例えば、ＤＣ１２Ｖに変換され、変換されたＤＣ１２Ｖは、スイッチボックス３２を介して除電器３３へ出力される。除電器３３は、昇圧コンバータなどを備え、プラス出力端に＋８ｋＶ〜＋９ｋＶの直流電圧を出力し、マイナス出力端に−８ｋＶ〜−９ｋＶの直流電圧を出力する。プラス出力端には正側電線３４が接続され、マイナス出力端には負側電線３５が接続されている。また、除電器３３は、接地線３６によって接地されている。
【００１６】
図２は本実施の形態の正電極部１０の要部構成の一例を示す説明図である。図２に示すように、正電極部１０は、針状の正電極１１、正電極１１を固定する固定部１４、固定部１４の周縁から正電極１１を囲むように正電極１１を収容する収容空間１３を形成する周壁部１２などを備える。正電極１１には、正側電線３４が電気的に接続されている。なお、図示していないが、負電極部２０の構成は正電極部１０の構成と同様である。すなわち、負電極部２０は、針状の負電極、負電極を固定する固定部、固定部の周縁から負電極を囲むように負電極を収容する収容空間を形成する周壁部などを備える。負電極には、負側電線３５が電気的に接続されている。
【００１７】
次に、本実施の形態の除電装置の動作について説明する。
【００１８】
図３は本実施の形態の除電装置による除電方法の一例を示す模式図である。なお、便宜上、図３では、マイナス帯電体の周囲の電気力線だけを図示している。正電極部１０の正電極には、例えば、＋８ｋＶ〜＋９ｋＶの正電圧が印加される。また、負電極部２０の負電極には、例えば、−８ｋＶ〜−９ｋＶの負電圧が印加される。これにより、正電極から負電極に向かう電気力線（図３において、実線で示す）が、正電極及び負電極の周囲の空間に形成される。例えば、マイナスの静電気を帯びた対象物が、電気力線が形成された空間の適宜の位置になるように、本実施の形態の除電装置を配置することができる。
【００１９】
本体部（本体５０、エンドキャップ５１、５２）、正電極部１０及び負電極部２０が絶縁性を有するので、正電極から負電極へ向かう電気力線の一部又は全部が、本体部、正電極部１０又は負電極部２０で消滅することを抑制することができ、正電極と負電極との間の空間において電気力線を効率良く分布させることができ、対象物に電気力線を到達させることが容易になる。
【００２０】
電気力線が対象物に到達することにより、電気力線にプラスイオン及びマイナスイオンが依存して移動して対象物に到達し、対象物のプラスイオンとマイナスイオンとのアンバランスが調和されて除電される。また、対象物がプラス帯電体である場合も同様である。電気力線によって静電気が除去され除電される仕組みは詳細には解明されていないが、例えば、帯電体を接地レベルに接触させると除電されるのと同様に、電気力線が帯電体に到達することにより、帯電体を接地レベルに接触させるのと同様の作用が生じていると考えることもできる。また、電気力線が物にぶつかるとそこでイオン化するという仮説なども考えられる。
【００２１】
正電極部１０の正電極付近では、コロナ放電により空気のプラスイオン（窒素イオン、酸素イオン、炭酸ガスイオンなど）が発生する。ただし、従来のイオナイザーと異なり、本実施の形態では、正電極の近傍に接地電極又は接地レベルに接続される金属板などが存在しないので、イオナイザーのような高電界が発生せず、大量のイオンは発生しない。本実施の形態では、正電極付近で発生したプラスイオンは、電気力線に依存して対象物の方に移動する。
【００２２】
負電極部２０の負電極付近では、コロナ放電により空気のマイナスイオン（窒素イオン、酸素イオン、炭酸ガスイオンなど）が発生する。ただし、従来のイオナイザーと異なり、本実施の形態では、負電極の近傍に接地電極又は接地レベルに接続される金属板などが存在しないので、イオナイザーのような高電界が発生せず、大量のイオンは発生しない。本実施の形態では、負電極付近で発生したマイナスイオンは、電気力線に依存して対象物の方に移動する。
【００２３】
本実施の形態では、正電極から負電極へ向かう電気力線と交差する位置に置かれた対象物に向けて空気を吹き出す複数の吹出口５３を備えるので、正電極、負電極で発生したイオンが電気力線に依拠して移動するとともに吹出口５３から吹き出される空気の流れ（図３において、破線で示す）によって対象物の方へ移動し、対象物の表面の電荷と中和することによって除電される。図３の例では、対象物がマイナス帯電体であるので、プラスイオンと中和することで除電される。対象物がプラス帯電体である場合には、マイナスイオンと中和することで除電される。
【００２４】
また、本実施の形態では、従来の空気のイオンを風のみで拡散するのではなく、対象物と交差するように形成した電気力線に依存するように移動させつつ、電気力線が形成されている空間に向かって吹出口５３から吹き出される空気の流れによってイオンを移動させるので、空気のイオンが途中で中和されることを抑制して、空気のイオンをより確実に対象物まで運ぶことができる。
【００２５】
上述のように、本実施の形態では、電気力線による除電と、空気のイオンによる除電との相乗作用によって、除電効率を向上させることができる。
【００２６】
図４は本実施の形態の除電装置による除電性能の結果を示す説明図である。図４において、横軸は時間（ｓ）を示し、縦軸は電圧（Ｖ）を示す。図４中、実線で示す曲線は本実施の形態の除電装置による除電性能を示し、破線で示す曲線は本実施の形態の除電装置において吹出口からの空気の吹き出しを停止した場合の除電性能を示し、２点鎖線で示す曲線はコロナ放電方式のイオナイザーにより除電性能を示す。各曲線は、絶縁体などの対象物を初期電圧（図４の時間０での正及び負の電圧）に帯電させておき、時間の経過とともに電圧がどのように減少するかの推移を示す。また、除電装置と帯電した対象物との距離は、約６０ｃｍとしている。なお、対象物にもよるが、電圧が１０Ｖ以下になれば除電されたと評価することができる場合もあり、あるいは電圧が１ｋＶ以下になれば除電されたと評価することができる場合もある。
【００２７】
図４の実線で示すように、本実施の形態では、２．５秒程度で対象物が除電されることがわかる。また、破線で示すように、空気の吹き出しを行わない場合には、７．５〜８秒程度で対象物が除電されることがわかる。また、従来のイオナイザーの場合には、完全に除電することができない。
【００２８】
なお、除電性能は、除電装置と対象物との距離に応じて変化するが、距離が異なっても、図４の場合と同様の傾向を示す。
【００２９】
図５は本実施の形態の除電装置の要部構成の第２実施例を示す説明図である。図５に示す第２実施例と、図１に示す第１実施例との主な違いは、第２実施例では、本体５０に代えて、本体６０、レジューサ６１、６２を備える点である。本体６０、レジューサ６１、６２は、絶縁性を有し、合成樹脂（例えば、ポリ塩化ビニル：ＰＶＣなど）製である。本体６０は、本体５０よりも流路の内径が大きい。レジューサ６１、６２は、内径が異なる本体６０と、エンドキャップ５１、５２とを接続する。また、本体６０には、本体５０と同様に、複数の吹出口６３を設けている。
【００３０】
吹出口６３が設けられた箇所の本体６０の流路径は、正電極部１０及び負電極部２０が設けられた箇所の流路径よりも大きい。これにより、流路内の空気の流れを安定化させてそれぞれの吹出口６３から吹き出される空気を均等にすることができる。
【００３１】
図６は本実施の形態の除電装置の要部構成の第３実施例を示す説明図である。図６に示す第３実施例と、図１に示す第１実施例との主な違いは、第３実施例では、本体５０に対向配置される対向本体７０を備え、本体５０には、二つの正電極部１０を設け、対向本体７０には、二つの負電極部２０を設けている点である。なお、第１実施例と同様の箇所は説明を省略する。
【００３２】
図６に示すように、本体５０には、適長離隔して二つの正電極部１０が設けられている。対向本体７０は、例えば、円柱状であって、絶縁性を有し、合成樹脂（例えば、ポリ塩化ビニル：ＰＶＣなど）製である。対向本体７０には、適長離隔して二つの負電極部２０が設けられている。二つの正電極部１０の間の距離は、二つの負電極部２０の間の距離と同程度であるが、本体５０と対向本体７０との間に位置する対象物（帯電体）の形状や大きさ、向きなどに応じて、二つの正電極部１０の間の距離と、二つの負電極部２０の間の距離とは異なっていてもよい。
【００３３】
正電極部１０の正電極には、例えば、＋８ｋＶ〜＋９ｋＶの正電圧が印加される。また、負電極部２０の負電極には、例えば、−８ｋＶ〜−９ｋＶの負電圧が印加される。これにより、正電極から負電極に向かう電気力線（図６において、実線で示す）が、正電極及び負電極の周囲の空間に形成される。静電気を帯びた対象物が、電気力線が形成された空間の適宜の位置になるように、本実施の形態の除電装置を配置することができる。
【００３４】
また、正電極から負電極へ向かう電気力線と交差する位置に置かれた対象物に向けて（本体５０から対向本体７０に向かって）空気を吹き出す複数の吹出口５３を備えるので、正電極、負電極で発生したイオンが電気力線に依拠して移動するとともに吹出口５３から吹き出される空気の流れ（図６において、破線で示す）によって対象物の方へ移動し、対象物の表面の電荷と中和することによって除電される。
【００３５】
本体部（本体５０、エンドキャップ５１、５２）、対向本体７０、正電極部１０及び負電極部２０が絶縁性を有するので、正電極から負電極へ向かう電気力線の一部又は全部が、本体部、対向本体７０、正電極部１０又は負電極部２０で消滅することを抑制することができ、正電極と負電極との間の空間において電気力線を効率良く分布させることができ、本体部と対向本体７０との間に位置する対象物に電気力線を到達させることが容易になる。
【００３６】
また、適長離隔した複数の正電極部１０の間に複数の吹出口５３を並べて設けているので、正電極から負電極へ向かう電気力線と略平行又は交差させつつ、本体部から離れた位置にまで空気のイオンを移動させることができ、結果として除電可能な範囲を広くすることができる。
【００３７】
図６の例では、本体５０に正電極部１０を設け、対向本体に負電極部２０を設ける構成であるが、これに限定されるものではなく、本体５０に負電極部２０を設け、対向本体に正電極部１０を設けてもよい。
【００３８】
図７は本実施の形態の除電装置の第３実施例の設置例を示す模式図である。図７は射出成形機の金型部分の平面視、例えば、金型部分を天井から床に向かって見た場合の様子を示す。射出成形では、材料をホッパ（不図示）に投入し、シリンダ（不図示）内で材料が溶融される。そして、スクリュー（不図示）を前進させることにより、金型へ溶融した材料を射出し圧入する。その後、金型を冷却し、金型を開き成型品を取り出す。射出成形の過程では、金型の一方は、図７の符号Ａで示すように、金型を開く方向、及び閉じる方向に移動する。金型を開いて成型品を取り出す際に、本実施の形態の除電装置により成型品を除電することができる。
【００３９】
図６及び図７に示すように、本体５０の吹出口から対向本体７０に向けて空気を吹き出す。これにより、本体５０と対向本体７０との間の空間に空気のイオンを移動させることができ、結果として除電可能な範囲を広くすることができる。
【００４０】
本実施の形態の各実施例では、圧縮空気を投入することにより、吹出口から勢いよく空気を吹き出すことができ、空気のイオンを広範囲に移動させることができる。
【００４１】
本実施の形態の各実施例では、吹出口の穴径は、空気の投入側では小さくし、投入側から遠いほど大きくする。例えば、図１の例では、便宜上、６個の吹出口５３を図示しているが、圧縮空気の投入側から１個目と２個目（図中右側の２個）の吹出口５３の穴径を、例えば、１．５ｍｍとし、投入側から３個目と４個目の吹出口５３の穴径を、例えば、２．０ｍｍとし、投入側から５個目と６個目（図中左側の２個）の吹出口５３の穴径を、例えば、２．５ｍｍとすることができる。
【００４２】
これにより、例えば、圧縮空気の圧力が投入側から遠くなるにつれて低下しても、吹出口から吹き出される空気の量（風量）を均等にすることができる。
【００４３】
本実施の形態では、除電装置にＡＣ電源を投入した時点で除電器３３が、正電極及び負電極に所定の電圧を出力し、直ちに正電極から負電極に向かう電気力線が形成されるので、除電効果が電源投入後すぐに発揮される。
【００４４】
本実施の形態では、電気力線による除電と、空気のイオンによる除電との相乗作用により、除電効率を向上することができる。なお、除電効率とは、許容電圧以下に除電されるまでの時間は短いこと、及び除電可能な空間エリアが広範囲に及ぶこと、確実に除電を行うことができることを含む。
【００４５】
本実施の形態では、正電極部と負電極部との位置関係を、対象物の形状、大きさ、種別などの除電場所の環境に応じて適宜設定することができるので、使用環境に応じて除電を効率的に行うことができる。本実施の形態では、電極として針状の電極について説明したが、正電極及び負電極の形状は、針状に限定されるものではない。例えば、針状の電極に代えて、カーボンファイバー、特殊ワイヤなどを電極として用い、カーボンファイバー、特殊ワイヤなどを空間の所望の位置に張り巡らせることができる。このように、本実施の形態の除電装置は、局部除電と広域除電の組み合わせに適している。
【００４６】
本実施の形態では、従来のイオナイザーのように、放電電極と接地電極又は金属板との間の距離を短くして高電界を発生させ、コロナ放電により大量のイオンを発生させる必要はない。このため、オゾンの発生や電極の酸化剥離などを防止することができる。
【００４７】
本実施の形態の除電装置は、局所除電と広域除電とを組み合わせることができる。これにより、本実施の形態の除電装置は、種々の産業、業種で使用することが可能となる。例えば、プラスチック成型分野、半導体、プリント基板等の製造分野、プラスチック成型品塗装分野、フィルム製造分野、ロボット等の自動組み立て分野、精密機器製造分野、印刷分野、医薬品製造分野、医療関係機器製造分野などが含まれる。
【００４８】
本実施の形態の除電装置は、電場中の電荷に働く電気力を利用して対象物を除電する除電装置であって、正極性の電圧が印加される正電極と、負極性の電圧が印加される負電極と、前記対象物に向けて空気を吹き出す吹出口とを備える。
【００４９】
本実施の形態の除電方法は、電場中の電荷に働く電気力を利用して対象物を除電する除電方法であって、正電極に正極性の電圧を印加し、負電極に負極性の電圧を印加し、前記対象物に向けて吹出口から空気を吹き出す。
【００５０】
正電極には、正極性の電圧が印加され、プラスイオンが発生する。負電極には、負極性の電圧が印加され、マイナスイオンが発生する。正極性の電圧は、例えば、＋８ｋＶ〜＋９ｋＶとすることができ、負極性の電圧は、−８ｋＶ〜−９ｋＶとすることができるが、電圧値はこれらに限定されない。これにより、正電極から負電極に向かう電気力線が、正電極及び負電極の周囲の空間に形成される。静電気を帯びた対象物は、電気力線が形成された空間の適宜の位置に配置することができる。電気力線にプラスイオン及びマイナスイオンが依存して移動して対象物に到達し、対象物のプラスイオンとマイナスイオンとのアンバランスが調和されて除電される。
【００５１】
正電極付近では、コロナ放電により空気のイオンが発生する。ただし、従来のイオナイザーと異なり、正電極の近傍に接地電極が存在しないのでイオナイザーのように大量のイオンは発生しない。正電極付近で発生したイオンは、電気力線に依存して移動する。また、負電極についても、正電極と同等に空気のイオンが発生する。
【００５２】
吹出口は、対象物に向けて空気を吹き出す。より具体的には、正電極から負電極へ向かう電気力線と交差する位置に置かれた対象物に向けて空気を吹き出す吹出口を備えるので、正電極、負電極で発生したイオンが電気力線に依拠して移動するとともに吹出口から吹き出される空気の流れによって対象物の方へ移動し、対象物の表面の電荷と中和することによって除電される。
【００５３】
上述の構成により、電気力線による除電と、空気のイオンによる除電との相乗作用によって、除電効率を向上させることができる。
【００５４】
本実施の形態の除電装置は、一方の端部が閉塞し、他方の端部が開口し、内部に空気の流路が設けられた絶縁性を有する本体部と、前記本体部に設けられ、絶縁性を有し、前記正電極が固定された正電極部と、前記正電極部から適長離隔して前記本体部に設けられ、絶縁性を有し、前記負電極が固定された負電極部とを備え、前記本体部の前記正電極部と前記負電極部との間に前記吹出口を複数並べて設けている。
【００５５】
本体部は、一方の端部が閉塞し、他方の端部が開口し、内部に空気の流路が設けられた絶縁性を有する。正電極部は、本体部に設けられ、絶縁性を有し、正電極が固定されている。負電極部は、正電極部から適長離隔して本体部に設けられ、絶縁性を有し、負電極が固定されている。本体部の正電極部と負電極部との間に吹出口を複数並べて設けている。
【００５６】
空気は、本体部の開口、流路を経由して複数の吹出口から吹き出される。本体部、正電極部及び負電極部は、絶縁性を有するので、正電極から負電極へ向かう電気力線の一部又は全部が、本体部、正電極部又は負電極部で消滅することを抑制することができ、正電極と負電極との間の空間において電気力線を効率良く分布させることができ、対象物に電気力線を到達させることが容易になる。また、適長離隔した正電極部と負電極部との間に複数の吹出口を並べて設けているので、正電極から負電極へ向かう電気力線に交差させつつ、本体部から離れた位置にまで空気のイオンを移動させることができ、結果として除電可能な範囲を広くすることができる。
【００５７】
本実施の形態の除電装置は、一方の端部が閉塞し、他方の端部が開口し、内部に空気の流路が設けられた絶縁性を有する本体部と、適長離隔して前記本体部に設けられ、絶縁性を有し、前記正電極又は前記負電極の一方の極性の第１電極が固定された複数の第１電極部と、前記本体部と対向配置され、絶縁性を有する対向本体部と、適長離隔して前記対向本体部に設けられ、絶縁性を有し、前記正電極又は前記負電極の他方の極性の第２電極が固定された複数の第２電極部とを備え、前記本体部の複数の前記第１電極部の間に前記吹出口を複数並べて設けている。
【００５８】
本体部は、一方の端部が閉塞し、他方の端部が開口し、内部に空気の流路が設けられた絶縁性を有する。複数の第１電極部は、適長離隔して本体部に設けられ、絶縁性を有し、正電極又は負電極の一方の極性の第１電極が固定されている。本体部の複数の第１電極部の間に吹出口を複数並べて設けている。
【００５９】
対向本体部は、本体部と対向配置され、絶縁性を有する。複数の第２電極部は、適長離隔して対向本体部に設けられ、絶縁性を有し、正電極又は負電極の他方の極性の第２電極が固定されている。
【００６０】
空気は、本体部の開口、流路を経由して複数の吹出口から吹き出される。本体部、対向本体部、第１電極部及び第２電極部は、絶縁性を有するので、正電極から負電極へ向かう電気力線の一部又は全部が、本体部、対向本体部、第１電極部又は第２電極部で消滅することを抑制することができ、本体部の第１電極と対応本体部の第２電極との間の空間において電気力線を効率良く分布させることができ、本体部と対向本体部との間に位置する対象物に電気力線を到達させることが容易になる。また、適長離隔した複数の第１電極部の間に複数の吹出口を並べて設けているので、第１電極から第２電極へ向かう電気力線と略平行又は交差させつつ、本体部から離れた位置にまで空気のイオンを移動させることができ、結果として除電可能な範囲を広くすることができる。
【００６１】
本実施の形態の除電装置において、前記吹出口は、前記対向本体部に向けて空気を吹き出す。
【００６２】
吹出口から対向本体部に向けて空気を吹き出す。これにより、本体部と対向本体部との間の空間に空気のイオンを移動させることができ、結果として除電可能な範囲を広くすることができる。
【００６３】
本実施の形態の除電装置は、前記開口から前記流路に向けて圧縮空気を流入させるようにしてある。
【００６４】
開口から流路に向けて圧縮空気を流入させる。これにより、吹出口から勢いよく空気を吹き出すことができ、空気のイオンを広範囲に移動させることができる。
【００６５】
本実施の形態の除電装置において、前記本体部の、前記吹出口が設けられた箇所の流路径は、前記正電極部、前記負電極部又は前記第１電極部が設けられた箇所の流路径よりも大きい。
【００６６】
本体部の吹出口が設けられた箇所の流路径は、正電極部、負電極部又は第１電極部が設けられた箇所の流路径よりも大きい。これにより、流路内の空気の流れを安定化させてそれぞれの吹出口から吹き出される空気を均等にすることができる。
【００６７】
本実施の形態の除電装置において、前記吹出口の穴径は、前記他方の端部から前記一方の端部に向かって大きくなる。
【００６８】
吹出口の穴径は、他方の端部から一方の端部に向かって大きくなる。すなわち、吹出口の穴径を空気の投入側では小さくし、投入側から遠いほど大きくする。これにより、例えば、圧縮空気の圧力が投入側から遠くなるにつれて低下しても、吹出口から吹き出される空気の量（風量）を均等にすることができる。
【００６９】
なお、前述の実施の形態の少なくとも一部を任意に組み合わせることができる。
【符号の説明】
【００７０】
１０  正電極部
１１  正電極
１２  周壁部
１３  収容空間
１４  固定部
２０  負電極部
３１  電源アダプタ
３２  スイッチボックス
３３  除電器
３４  正側電線
３５  負側電線
３６  接地線
４１  レギュレータ
４２  継手
４３  チューブ
５０  本体
５１、５２  エンドキャップ
５３  吹出口
６０  本体
６１、６２  レジューサ
６３  吹出口
７０  対向本体
【図１】
2019164910.tif 000003
【図２】
2019164910.tif 000004
【図３】
2019164910.tif 000005
【図４】
2019164910.tif 000006
【図５】
2019164910.tif 000007
【図６】
2019164910.tif 000008
【図７】
2019164910.tif 000009